(57)【要約】【課題】情報コード表示媒体における情報コードの位置を容易に認識し得る構成を提供する。【解決手段】情報コード表示媒体１０は、情報コードＣ１が付されると共に、所定の第１面１２ａと、第１面１２ａの裏側の第２面１２ｂとを備え、第１面１２ａ側において情報コードＣ１が表示される本体部１２を有する。また、本体部１２は、第２面１２ｂ側において、第１面１２ａと平行な平面方向における情報コードＣ１の位置を特定する目印１４が表示されている。【選択図】図２
2014203273.tif 000002
【特許請求の範囲】
【請求項１】
情報コードが表示された情報コード表示媒体であって、
前記情報コードが付されるとともに、所定の第１面と、前記第１面の裏側の第２面とを備え、前記第１面側において前記情報コードが表示される本体部を有し、
前記本体部は、前記第２面側において、前記第１面と平行な平面方向における前記情報コードの位置を特定する目印が表示されることを特徴とする情報コード表示媒体。
【請求項２】
前記本体部は、少なくとも前記情報コードが付された部分が不透明又は半透明の板材又はシート材によって構成されており、
前記第２面側において前記情報コードの裏位置に前記目印としての図形又は記号が形成されていることを特徴とする請求項１に記載の情報コード表示媒体。
【請求項３】
情報コードが表示された情報コード表示媒体であって、
前記情報コードが付されると共に、所定の第１面と、前記第１面の裏側の第２面とを備え、且つ前記第１面側において前記情報コードが表示される本体部を有し、
前記本体部は、前記情報コードが付された領域の少なくとも一部が部分的に透明部として構成され、前記透明部の周囲に隣接して不透明部が設けられており、
前記第２面側から前記情報コードが少なくとも部分的に視認可能とされていることを特徴とする情報コード表示媒体。
【請求項４】
前記情報コードは、明色モジュール及び暗色モジュールを有してなり、
前記本体部において前記情報コードが形成された形成部分は、前記暗色モジュールの各領域及び前記明色モジュールの各領域の内、一方のモジュールの各領域が透明の部分として構成され、他方のモジュールの各領域が不透明又は半透明の部分として構成されていることを特徴とする請求項３に記載の情報コード表示媒体。
【請求項５】
前記本体部において前記情報コードが形成された部分には、少なくとも可視光領域を含む第１波長帯の光が照射されたときに暗色又は明色の一方の反射特性を示し、前記第１波長帯とは波長の異なる第２波長帯の光が照射されたときに暗色又は明色の他方の反射特性を示す反転領域と、前記第１波長帯の光が照射されたときに暗色又は明色の前記一方の反射特性を示し、前記第２波長帯の光が照射されたときに暗色又は明色の前記一方の反射特性を示す非反転領域とが形成され、
前記情報コードは、明色モジュール及び暗色モジュールを有し、前記明色モジュール及び前記暗色モジュールの内、一方のモジュールの領域が前記反転領域又は前記非反転領域の一方の領域とされ、他方のモジュールの領域が前記反転領域又は前記非反転領域の他方の領域とされることを特徴とする請求項１から請求項３のいずれか一項に記載の情報コード表示媒体。
【請求項６】
情報コードが表示された情報コード表示媒体であって、
前記情報コードが付されると共に、所定の第１面と、前記第１面の裏側の第２面とを備え、前記第１面側において前記情報コードが表示される本体部を有し、
前記情報コードは、明色モジュール及び暗色モジュールを有してなり、
前記本体部において前記情報コードが形成された形成部分は、前記暗色モジュールの各領域及び前記明色モジュールの各領域の内、一方のモジュールの各領域に対して貫通孔又は凹部若しくは凸部を形成する加工が施されており前記第２面側から前記一方のモジュールの各領域に対して施された加工部分が視認可能とされていることを特徴とする情報コード表示媒体。
【発明の詳細な説明】
【技術分野】
【０００１】
本発明は、情報コード表示媒体に関するものである。
【背景技術】
【０００２】
近年では、切符、定期券、イベントの入場チケットなどの様々な媒体に情報コードが形成され、正規対象者であるか否かの確認等に広く用いられている。例えば、特許文献１では、定期券に情報コードを付して管理しようとする技術が提供されており、特許文献１で開示される定期券１には、乗車可能期間、発駅名等の定期券情報を文字等で印字した定期券情報印字部２と、定期券情報を示す２次元バーコードが印字された２次元バーコード印字部３とが設けられている。
【先行技術文献】
【特許文献】
【０００３】
【特許文献１】特開２００１−３５７４１７号公報
【発明の概要】
【発明が解決しようとする課題】
【０００４】
特許文献１のように、定期券等の媒体に情報コードを付して用いる方法では、情報コードを読取装置に適切に翳しさえすれば当該情報コードを迅速かつ容易に読み取りやすいため、この方法を用いれば、運用する側にとっても、媒体を実際に用いて使用する側にとっても利便性が高くなる。また、このように情報コードによって媒体記録情報（定期券等の情報）を読み取らせる方法では、媒体を選択するに際し、情報コードを形成可能であれば適用する余地があるため、媒体の材質や機能等を選択する上での自由度が大きく、この点でも有利である。
【０００５】
しかしながら、上記特許文献１の定期券１のように、単に媒体上に情報コードを形成する方法では、媒体を読取装置に翳して読み取らせる際に情報コードを正規の読取位置（読取装置で読取可能となる位置）に正確に位置合わせすることが難しいという問題がある。例えば、情報コードを対向させる面（翳す面）が上向きに構成される読取装置（即ち、読取方向が上向きの読取装置）によって読み取らせる場合、特許文献１の定期券１では、翳す際に、定期券１を裏返した上で情報コードを正規の読取位置に位置合わせしなければならず、下側に面して見えなくなった情報コードを正規の読取位置に正確に位置合わせすることが難しいという問題がある。このような媒体構成では、不適正な翳し位置に起因する読取不良が発生しやすく、読み取りのリトライによる作業負担の増加や、読取時間の増大の虞がある。また、この問題は、読取方向が上向きの読取装置に限られた問題ではなく、読取方向が横向きや下向きの読取装置でも生じる問題であり、簡易且つ効果的な構成での解決が望まれる。
【０００６】
本発明は、上述した課題を解決するためになされたものであり、媒体に形成された情報コードを読取装置に読み取らせる際に当該情報コードの形成側とは反対側からも当該情報コードの位置をより正確に認識しやすく、当該情報コードを適正な読取位置に位置合わせし易い構成を提供することを目的とする。
【課題を解決するための手段】
【０００７】
第１の発明は、情報コードが表示された情報コード表示媒体であって、
前記情報コードが付されるとともに、所定の第１面と、前記第１面の裏側の第２面とを備え、前記第１面側において前記情報コードが表示される本体部を有し、
前記本体部は、前記第２面側において、前記第１面と平行な平面方向における前記情報コードの位置を特定する目印が表示されることを特徴とする。
【０００８】
第２の発明は、情報コードが表示された情報コード表示媒体であって、
前記情報コードが付されると共に、所定の第１面と、前記第１面の裏側の第２面とを備え、且つ前記第１面側において前記情報コードが表示される本体部を有し、
前記本体部は、前記情報コードが付された領域の少なくとも一部が部分的に透明部として構成され、前記透明部の周囲に隣接して不透明部が設けられており、
前記第２面側から前記情報コードが少なくとも部分的に視認可能とされていることを特徴とする情報コード表示媒体。
【０００９】
第３の発明は、情報コードが表示された情報コード表示媒体であって、
前記情報コードが付されると共に、所定の第１面と、前記第１面の裏側の第２面とを備え、前記第１面側において前記情報コードが表示される本体部を有し、
前記情報コードは、明色モジュール及び暗色モジュールを有してなり、
前記本体部において前記情報コードが形成された形成部分は、前記暗色モジュールの各領域及び前記明色モジュールの各領域の内、一方のモジュールの各領域に対して貫通孔又は凹部若しくは凸部を形成する加工が施されており前記第２面側から前記一方のモジュールの各領域に対して施された加工部分が視認可能とされていることを特徴とする。
【発明の効果】
【００１０】
請求項１の発明では、情報コード表示媒体が有する本体部の第１面側に情報コードが表示され、第２面側において、第１面と平行な平面方向における情報コードの位置を特定する目印が表示される構成となっている。
この構成によれば、媒体の使用者は、第２面側を見たとき、第１面側の情報コードの真裏の位置がどのあたりかを即座に特定することが可能となる。従って、例えば、情報コード表示媒体を裏返し、情報コードが見えない状態で情報コードを読み取り装置に読み取らせる場合であっても、第２面側から情報コードの位置を認識しながら情報コードを適正な読み取り位置に翳すことが可能となる。これにより、翳す位置が不適正であることに起因する読み取りの失敗や読み取りの遅延を防ぐことができ、読み取り操作を行う上での操作性を効果的に向上することができる。
【００１１】
請求項２の発明では、前記本体部は、少なくとも前記情報コードが付された部分が不透明又は半透明の板材又はシート材によって構成されており、前記第２面側において前記情報コードの裏位置に前記目印としての図形又は記号が形成されている。
このように情報コードの部分を不透明又は半透明の板材又はシート材によって構成すると、この部分を透明に構成する場合に比べて、読取装置で読み取る際に情報コードの背景や各セルの画像を安定的に認識しやすくなる。但し、このようにすると、情報コードが裏側（第２面側）から見えない又は非常に見えにくい状態となるため、第２面側からの情報コードの位置特定が困難となる問題がある。これに対し、本発明では、第２面側に情報コードの位置を特定する目印が表示されるため、情報コードの安定的な認識を可能としつつ、情報コードが見えない状態で情報コードを読み取り装置に読み取らせる場合であっても、第２面側の目印を見ながら情報コードを正確に位置合わせしやすくなる。
【００１２】
請求項３の発明では、前記本体部は、前記情報コードが付された領域の少なくとも一部が部分的に透明部として構成され、前記透明部の周囲に隣接して不透明部が設けられており、前記第２面側から前記情報コードが少なくとも部分的に視認可能とされている。
この構成によれば、媒体の使用者が裏側（第２面側）を見たとき、表面側（第１面側）の情報コードの一部分が透明部として見えるため、第１面側の情報コードの真裏の位置がどのあたりかを即座に特定することが可能となる。従って、例えば、情報コード表示媒体を裏返し、情報コードが見えない状態で情報コードを読み取り装置に読み取らせる場合であっても、第２面側から情報コードの位置を認識しながら情報コードを適正な読み取り位置に翳すことが可能となる。これにより、翳す位置が不適正であることに起因する読み取りの失敗や読み取りの遅延を防ぐことができ、読み取り操作を行う上での操作性を効果的に向上することができる。
【００１３】
請求項４の発明では、前記情報コードは、明色モジュール及び暗色モジュールを有してなり、前記本体部において前記情報コードが形成された形成部分は、前記暗色モジュールの各領域及び前記明色モジュールの各領域の内、一方のモジュールの各領域が透明の部分として構成され、他方のモジュールの各領域が不透明又は半透明の部分として構成されている。
この構成では、一方のモジュールを透明とし、他方のモジュールを不透明又は半透明とするという特徴的な構成により、情報コードの撮像画像において両モジュールの各画像に差異を生じさせることができ、明色モジュール及び暗色モジュールのそれぞれを正確に区別して認識可能となる。そして、一方のモジュールが透明部分として構成されているため、媒体を第２面側から見たときに少なくとも一方のモジュールの位置を即座に特定することが可能となる。特に、明暗モジュールで構成する二次元コードでは、その構成上、一方のモジュールが全体的に配置されることになるため、第２面側を見たときに情報コードの全体的な位置（情報コード全体の真裏位置）を把握しやすくなる。従って、第１面側が見えない状態で情報コードを読み取らせる場合に、第２面側を見て情報コードの全体的な位置を認識しながら情報コードをより適正な読み取り位置に翳すことが可能となる。
【００１４】
請求項５の発明では、前記本体部において前記情報コードが形成された部分には、少なくとも可視光領域を含む第１波長帯の光が照射されたときに暗色又は明色の一方の反射特性を示し、前記第１波長帯とは波長の異なる第２波長帯の光が照射されたときに暗色又は明色の他方の反射特性を示す反転領域と、前記第１波長帯の光が照射されたときに暗色又は明色の前記一方の反射特性を示し、前記第２波長帯の光が照射されたときに暗色又は明色の前記一方の反射特性を示す非反転領域とが形成され、前記情報コードは、明色モジュール及び暗色モジュールを有し、前記明色モジュール及び前記暗色モジュールの内、一方のモジュールの領域が前記反転領域又は前記非反転領域の一方の領域とされ、他方のモジュールの領域が前記反転領域又は前記非反転領域の他方の領域とされる。
この構成では、可視光が照射されている時には、明色モジュール及び暗色モジュールがいずれも同種の反射特性を示すため、情報コードが全体的に暗色領域又は明色領域として視認されることになり、情報コードの存在が把握され難くなる。つまり、可視光のみの照射状態で情報コードを読み取ろうとしても、明色モジュールと暗色モジュールとが区別できず、一般的な読取装置では情報コードの読み取りが困難となる。また、一般的なコピー装置では明暗が区別されないコピー画像が生成されるため、コピー等の偽造防止を図ることができる。
一方、第２波長帯の照明光が照射されている時には、明色モジュール及び暗色モジュールの内、いずれか一方が反転した構成となり、他方が反転しない構成となるため、明色モジュールの領域と暗色モジュールの領域とを明確に区別することができ、情報コードを認識することができるようになる。つまり、第２波長帯の照明光を照射し得る読取装置では、情報コードを良好に読み取ることが可能となり、このような読取装置の読み取りのみを許可し得るセキュリティ性の高い構成となる。但し、この構成では、第２波長帯の照明光が照射される位置に情報コードを正確に位置合わせしなければ読み取りができないため、より正確な位置合わせが求められ、情報コードが見えない状態で媒体を翳して読み取らせる場合に一層問題となる。これに対し本発明では、第２面側からでも情報コードの位置を正確に認識することができるため、媒体を裏返して読み取らせる場合であっても第２波長帯の照明光の照射位置に情報コードを正確に位置合わせすることができ、読み取りの失敗や遅延をより確実に低減することができる。
【００１５】
請求項６の発明では、前記本体部において前記情報コードが形成された形成部分は、前記暗色モジュールの各領域及び前記明色モジュールの各領域の内、一方のモジュールの各領域に対して貫通孔又は凹部若しくは凸部を形成する加工が施されており前記第２面側から前記一方のモジュールの各領域に対して施された加工部分が視認可能とされている。
この構成によれば、媒体の使用者が裏側（第２面側）を見たとき、表面側（第１面側）の情報コードの一部分が加工部分として見えるため、第１面側の情報コードの真裏の位置がどのあたりかを即座に特定することが可能となる。従って、例えば、情報コード表示媒体を裏返し、情報コードが見えない状態で情報コードを読み取り装置に読み取らせる場合であっても、第２面側から情報コードの位置を認識しながら情報コードを適正な読み取り位置に翳すことが可能となる。これにより、翳す位置が不適正であることに起因する読み取りの失敗や読み取りの遅延を防ぐことができ、読み取り操作を行う上での操作性を効果的に向上することができる。更に、この発明では、一方のモジュールの各領域が貫通孔又は凹部若しくは凸部として形成されるため、使用者は媒体を触った感触で情報コードがどの位置にあるかを特定することが可能となる。従って、例えば媒体をあまり見ずに手触りによって情報コードの位置を把握しつつその情報コードを読み取り位置に翳して読み取らせるといった対応もとりやすくなる。
【図面の簡単な説明】
【００１６】
【図１】図１は、本発明の第１実施形態に係る情報コード表示媒体を用いた情報コード読取システムを概略的に例示する概略図である。
【図２】図２（Ａ）は、第１実施形態の情報コード表示媒体の表面を概略的に例示する説明図であり、図２（Ｂ）は、図２（Ａ）の情報コード表示媒体の裏面を概略的に例示する説明図である。
【図３】図３は、図１の情報コード読取システムを構成する情報コード読取装置の電気的構成を概略的に例示するブロック図である。
【図４】図４（Ａ）は、本発明の第２実施形態の情報コード表示媒体の表面を概略的に例示する説明図であり、図４（Ｂ）は、図４（Ａ）の情報コード表示媒体の裏面を概略的に例示する説明図である。
【図５】図５（Ａ）は、本発明の第３実施形態の情報コード表示媒体の表面を概略的に例示する説明図であり、図５（Ｂ）は、図５（Ａ）の情報コード表示媒体の裏面を概略的に例示する説明図である。
【図６】図６（Ａ）は、本発明の第４実施形態の情報コード表示媒体の表面を概略的に例示する説明図であり、その表面に可視光を照射したときに視認される状態を示すものである。また、図６（Ｂ）は、図６（Ａ）の情報コード表示媒体の表面に赤外光を照射したときに視認される状態を示すものである。
【図７】図７は、図６の情報コード表示媒体を読み取り可能な情報コード読取装置の電気的構成を概略的に例示するブロック図である。
【発明を実施するための形態】
【００１７】
[第１実施形態]
以下、本発明を具現化した第１実施形態について、図面を参照して説明する。
（情報コード読取システムの構成）
図１に示す情報コード読取システム１は、明色モジュール及び暗色モジュールを有してなる情報コードＣ１が形成された情報コード表示媒体１０（以下、単に媒体１０ともいう）と、この媒体１０に形成された情報コードＣ１を読取可能な情報コード読取装置２０（以下、単に読取装置２０ともいう）とによって構成されており、媒体１０に形成された情報コードＣ１を読取装置２０が抽出、解読することで、情報コードＣ１内のデータを取得し出力し得るようになっている。また、媒体１０は、例えば、切符、定期券、またはイベントの入場チケット等として利用され、この媒体１０に記録される情報に基づいて利用者の所定の場所への入退場等を管理可能に構成されている。
【００１８】
（情報コード表示媒体の構成）
次に、図２を参照して、情報コード表示媒体１０の構成について説明する。
情報コード表示媒体１０は、情報コードＣ１が表示される第１面１２ａと、第１面の裏側の第２面１２ｂとを備える本体部１２によって構成されている。また、本体部１２は、例えば不透明又は半透明の板材又はシート材（例えば、紙、樹脂部材、金属部材の物体）によって形成されている。
【００１９】
図２（Ａ）に示すように、媒体１０の第１面１２ａ側には、情報コードＣ１が印刷等によって形成された情報コード形成領域Ａ１と、文字、図形、記号、模様などからなる背景領域Ａ２とが設けられている。本構成では、媒体１０は、例えば定期券として構成されており、第１面１２ａの背景領域Ａ２には、乗車区間、定期券利用者名等が印字されている。また、情報コードＣ１には、背景領域Ａ２に印字されている情報、あるいはこれら情報に加えて印字されていないその他の情報（例えば、乗車可能期間、発券番号等）が記録されている。
【００２０】
図２（Ｂ）に示すように、媒体１０の第２面１２ｂ側には、第１面１２ａに形成される情報コードＣ１の裏位置に目印１４として図形又は記号（例えば、十字形状の図形）が形成されている。この目印１４は、第２面１２ｂにおいて第１面１２ａと平行な平面方向における情報コードＣ１の位置を特定するように機能する。具体的には、第１面１２ａと平行な平面方向における情報コードＣ１の中心位置を特定し得るように目印１４が配置されており、例えば、目印１４は、十字形状の図形が交差する交差位置が情報コードＣ１の中心位置の真裏の位置となっている。なお、図２（Ｂ）に示す目印１４を囲む破線は、情報コードＣ１の外周の真裏の位置（第２面１２ｂ側における真裏の位置）を概念的に示している。このように構成されているため、図２（Ｂ）のように第２面側（裏面側）を見たとき、第１面側が見えなくても情報コードＣ１の中心がどの位置であるかを即座に把握することが可能となる。
【００２１】
なお、図２（Ｂ）の構成では、第２面１２ｂ側には、目印１４以外の領域が目印１４とは異なる色によって構成されており、目印１４以外の領域は、例えば目印１４とは異なる単一色の色彩、又は目印１４とは異なる複数色の模様となっている。なお、目印１４は、本体部の第２面１２ｂ上に描かれていてもよく、第２面１２ｂ側から見える構成であれば、第２面１２ｂ上でなくてもよい。例えば、第２面１２ｂよりも第１面１２ａ側に奥まった位置であってもよい。例えば本体部１２の厚さ方向内部に目印１４が描かれた構成であってもよく、第１面１２ａ側に描かれた構成であってもよい。また、目印１４の形状及び位置を特定できるように少なくとも目印１４の周囲の領域が目印１４とは異なる色によって構成されていれば良く、目印１４から外れた位置（例えば、図２（Ｂ）の破線の外側の位置）には様々な絵、模様、情報等を表示することができる。
【００２２】
情報コードＣ１は、例えば、ＱＲコード（登録商標）によって構成されており、公知の方法でデコード可能な構成となっている。また、情報コードＣ１は、所定のコード領域の内部に情報を表示する単位となるセル（モジュール）５２をマトリックス状に配列した構成となっている。なお、図２等の情報コードＣ１において、「コード領域」は、複数配列された暗色セルを全て含み得る矩形状の領域であり、具体的には、３つの位置検出パターン（切り出しシンボル）５４を全て含む最小の正方形又は長方形領域となっている。なお、図２等の例では、複数のセル（モジュール）５２が、矩形状（例えば外径が正方形状）の明色（白色）セル（明色モジュール）５２ａ及び暗色（黒色）セル（暗色モジュール）５２ｂのいずれかによって構成されており、コード領域の内部においてこれらセル５２がマトリックス状に配置されている。また、情報コードＣ１において上記コード領域の周囲には、当該コード領域を取り囲むようにマージン領域が構成されるようになっており、図２等の例では、明色（白色）のマージン領域がコード領域の周囲に隣接して配置されている。
【００２３】
（情報コード読取装置の構成）
次に、情報コード読取装置２０の全体構成について説明する。図３に示すように読取装置２０は、ハードウェア的には二次元コードを読取可能なコードリーダとして構成されており、図示しないケースによって外郭が構成され、このケース内に各種電子部品が収容された構成をなしている。
【００２４】
この情報コード読取装置２０は、主に、照明光源２１、受光センサ２３、フィルタ２５、結像レンズ２７等の光学系と、メモリ３５、制御回路４０、操作スイッチ４２、液晶表示装置４６等のマイクロコンピュータ（以下「マイコン」という）系と、電源スイッチ４１、電池４９等の電源系と、から構成されている。なお、これらは、図略のプリント配線板に実装あるいはケース（図示略）内に内装されている。
【００２５】
光学系は、照明光源２１、受光センサ２３、フィルタ２５、結像レンズ２７等から構成されている。照明光源２１は、照明光Ｌｆを発光可能な照明光源として機能するもので、例えば、赤色のＬＥＤとこのＬＥＤの出射側に設けられる拡散レンズ、集光レンズ等とから構成されている。本実施形態では、受光センサ２３を挟んだ両側に照明光源２１が設けられており、ケースに形成された読取口（図示略）を介して情報コード表示媒体１０に向けて照明光Ｌｆを照射可能に構成されている。
【００２６】
受光センサ２３は、情報コード表示媒体１０や情報コードＣ１に照射されて反射した反射光Ｌｒを受光可能に構成されるもので、例えば、Ｃ−ＭＯＳやＣＣＤ等の固体撮像素子である受光素子を２次元に配列したエリアセンサが、これに相当する。この受光センサ２３は、結像レンズ２７を介して入射する入射光を受光面２３ａで受光可能に図略のプリント配線板に実装されている。
【００２７】
フィルタ２５は、例えば反射光Ｌｒの波長相当以下の光の通過を許容し、当該波長相当を超える光の通過を遮断し得る光学的なローパスフィルタで、ケースに形成された読取口（図示略）と結像レンズ２７との間に設けられている。これにより、反射光Ｌｒの波長相当を超える不要な光が受光センサ２３に入射することを抑制している。また、結像レンズ２７は、例えば、鏡筒とこの鏡筒内に収容される複数の集光レンズとによって構成されており、本実施形態では、ケースに開口状に形成された読取口（図示略）に入射する反射光Ｌｒを集光し、受光センサ２３の受光面２３ａに情報コードＣ１のコード画像を結像するように構成されている。
【００２８】
マイコン系は、増幅回路３１、Ａ／Ｄ変換回路３３、メモリ３５、アドレス発生回路３６、同期信号発生回路３８、制御回路４０、操作スイッチ４２、ＬＥＤ４３、ブザー４４、液晶表示装置４６、通信インタフェース４８等から構成されている。このマイコン系は、マイコン（情報処理装置）として機能し得る制御回路４０及びメモリ３５を中心として構成され、前述した光学系によって撮像された情報コードＣ１の画像信号をハードウェア的およびソフトウェア的に信号処理し得るものである。
【００２９】
光学系の受光センサ２３から出力される画像信号（アナログ信号）は、増幅回路３１に入力されることで所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３０】
メモリ３５は、半導体メモリ装置などによって構成され、例えばＲＡＭ（ＤＲＡＭ、ＳＲＡＭ等）やＲＯＭ（ＥＰＲＯＭ、ＥＥＰＲＯＭ等）等がこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、後述する読取処理等を実行可能な所定プログラムやその他、照明光源２１、受光センサ２３等の各ハードウェアを制御可能なシステムプログラム等が予め格納されている。
【００３１】
制御回路４０は、情報コード読取装置２０全体を制御可能なマイコンで、ＣＰＵ、システムバス、入出力インタフェース等からなるものであり、情報処理機能を有している。この制御回路４０には、内蔵された入出力インタフェースを介して種々の入出力装置（周辺装置）が接続されており、本実施形態の場合、電源スイッチ４１、操作スイッチ４２、ＬＥＤ４３、ブザー４４、液晶表示装置４６、通信インタフェース４８等が接続されている。また、通信インタフェース４８には、情報コード読取装置２０の上位システムに相当するホストコンピュータＨＳＴなどを接続できるようになっている。
【００３２】
電源系は、電源スイッチ４１、電池４９等により構成されており、制御回路４０により管理される電源スイッチ４１のオンオフによって、上述した各装置や各回路に、電池４９から供給される駆動電圧の導通や遮断が制御されている。なお、電池４９は、所定の直流電圧を発生可能な２次電池で、例えば、リチウムイオン電池等がこれに相当する。
【００３３】
（本構成の主な効果）
本構成では、図２（Ｂ）に示すように、媒体１０の第２面１２ｂには、第１面１２ａに形成される情報コードＣ１の裏位置に図形又は記号（本実施形態では、十字形状の図形）が形成されている。このように図形又は記号が明示されることにより、第２面１２ｂにおいて、第１面１２ａと平行な平面方向における情報コードＣ１の位置を特定することができる。そして、情報コード表示媒体１０の利用者は、第２面側を目視している場合でも、第１面側に表示されている情報コードＣ１の位置を、目印によって特定することが可能となる。なお、上述した例では、目印１４として、十字形状の図形を用いたが、目印はこれ以外の図形や記号であってもよい。例えば、丸、三角、四角、星型、その他の絵柄等であってもよく、文字、数字、その他の記号等であってもよい。
【００３４】
一般的に、媒体１０の利用者は、読取装置２０に媒体１０を翳したりすることによって情報コードＣ１を読み取らせる際に、媒体１０の情報コードＣ１が印刷されている第１面１２ａ側を読取装置２０に対向させる必要があるため、利用者は媒体１０の第２面１２ｂ側を目視しながら操作することになる。本構成では、このような操作時に、利用者は、第２面１２ｂ側を見ながらでも情報コードＣ１の位置を正確に認識することができ、見えない又は見えにくい反対側（視認側とは反対側）の情報コードＣ１を目標とする位置に正確に近づけることが可能となる。従って、より迅速且つ正確に情報コードＣ１を読取装置２０に読み取らせることができ、読取処理や読み取り操作の繰り返し（情報コードＣ１の位置が不適切であること等に起因する読取処理や読み取り操作の繰り返し）による手間や時間を省くことができる。特に、駅などの改札口のように、多数の利用者が続けて同一の読取装置を利用するような場合には、各利用者の読み取り操作に費やされる時間を短縮することで混雑の発生を回避することができ、利用者の利便性を向上させることができる。また、媒体１０のサイズが情報コードＣ１に比べて著しく大きいような場合や、媒体１０の操作に不慣れな者が読み取り操作を行うような場合には特に上述したような読み取り操作の繰り返しが懸念されるが、このような場合でも、本構成では、表面を目視して情報コードＣ１が表示されている位置を確認しなくても情報コードＣ１を正確に位置合わせしやすくなるため、手間と時間を省くことできる。
【００３５】
また、本構成では、本体部１２は、少なくとも情報コードＣ１が付された部分が不透明又は半透明の板材又はシート材によって構成されており、第２面１２ｂ（裏面）側において情報コードＣ１の裏位置に目印１４としての図形又は記号が形成されている。具体的には、媒体１０の基材が、例えば不透明又は半透明の樹脂材料、紙材料、金属材料などからなるシート材によって構成されており、このシート材の表面（第１面１２ａ）に情報コードＣ１等が描かれ、情報コードＣ１が描かれた部分も不透明又は半透明となっている。そして、シート材の裏面（第２面１２ｂ）において情報コードＣ１の真裏の位置に目印１４が描かれている。
このように情報コードＣ１の部分を不透明又は半透明の板材又はシート材によって構成すると、この部分を透明に構成する場合に比べて、読取装置で読み取る際に情報コードＣ１の背景（マージン領域）や各セルの画像を安定的に認識しやすくなる。但し、このようにすると、情報コードＣ１が裏側（第２面側）から見えない又は非常に見えにくい状態となるため、第２面１２ｂ側からの情報コードＣ１の位置特定が困難となる問題がある。これに対し、本構成では、第２面１２ｂ側に情報コードＣ１の位置を特定する目印１４が表示されるため、情報コードＣ１の安定的な認識を可能としつつ、情報コードＣ１が見えない状態で情報コードＣ１を読み取り装置に読み取らせる場合であっても、第２面１２ｂ側の目印１４を見ながら情報コードＣ１を正確に位置合わせしやすくなる。
【００３６】
[第２実施形態]
以下、第２実施形態について、図４等を参照して説明する。
なお、第２実施形態の情報コード読取システムは、情報コード表示媒体１０に代えて情報コード表示媒体２１０（以下、単に媒体２１０ともいう）を用いた点が第１実施形態と異なり、読取装置２０は第１実施形態と同一となっている（図１、図３等参照）。従って、以下では、情報コード表示媒体２１０について重点的に説明する。
【００３７】
（情報コード表示媒体の構成）
第１実施形態の情報コード表示媒体１０では、第２面１２ｂ側における情報コードＣ１の裏位置に目印１４が形成される構成を例示したが、本実施形態の情報コード表示媒体２１０では、本体部２１２における情報コードＣ２が付された領域（情報コード形成領域Ａ２１）の少なくとも一部が部分的に透明部として構成され、透明部の周囲に隣接して不透明部が設けられており、第２面２１２ｂ側から情報コードＣ２の表裏反転図形が少なくとも部分的に視認可能となっている。
【００３８】
本実施形態の媒体２１０も、板状又はシート状の本体部２１２を備え、この本体部２１２には、情報コードＣ２が表示される第１面２１２ａと、第１面２１２ａの裏側の第２面２１２ｂとが設けられている。また、第１実施形態の媒体１０と同様、媒体２１０の第１面２１２ａ側には、文字、図形、記号、模様などが表示される背景領域Ａ２２が設けられている。なお、情報コード表示媒体２１０は、情報コード形成領域Ａ２１（矩形枠ＡＲ１内の領域）のみが第１実施形態の情報コード表示媒体１０と異なっており、情報コード形成領域Ａ２１（矩形枠ＡＲ１内の領域）以外は第１実施形態の情報コード表示媒体１０と同一である。よって、以下では、第１実施形態と同一の部分については詳細な説明を省略し、情報コード形成領域Ａ２１（矩形枠ＡＲ１内の領域）について重点的に説明することとする。
【００３９】
媒体２１０で表示される情報コードＣ２は、公知の二次元コード（ＱＲコード）として構成され、コード領域の内部にセル（モジュール）２５２を配列し、３つの位置検出パターン（切り出しシンボル）２５４を備える構成となっている。また、第１実施形態の情報コードＣ１と同様、複数のセル（モジュール）２５２が、矩形状の明色（白色）セル（明色モジュール）２５２ａ及び暗色（黒色）セル（暗色モジュール）２５２ｂのいずれかによって構成されており、コード領域の内部においてこれらセル（モジュール）２５２がマトリックス状に配置されている。
【００４０】
そして、媒体２１０の本体部２１２において、情報コードＣ２が形成された形成部分（即ち、矩形枠ＡＲ１内の情報コード形成領域Ａ２１の部分）は、明色モジュール２５２ａの各領域及び暗色モジュール２５２ｂの各領域の内、一方のモジュール（例えば、明色モジュール２５２ａ）の各領域が透明の部分として構成され、他方のモジュール（例えば、暗色モジュール２５２ｂ）の各領域が不透明又は半透明の部分として構成されている。
【００４１】
より具体的には、本体部２１２における情報コード形成領域Ａ２１内の部分（矩形枠ＡＲ１内の部分）は、暗色モジュール２５２ｂ以外の部分（即ち、明色モジュール２５２ａ及びコード領域の周囲のマージン領域）が透明部として構成され、この透明部は、第１面２１２ａと第２面２１２ｂとの間において光が透過し得るように構成されている。一方、暗色モジュール２５２ｂの各領域が不透明（又は半透明）の部分として構成され、透明部よりも光の透過量が少ない構成となっている。また、本体部２１２において背景領域Ａ２が形成された部分（矩形枠ＡＲ１の外側の部分）は、マージン領域（透明部）の周囲に隣接して不透明（又は半透明）の部分として構成されている。そして、媒体２１０は、位置検出パターン（切り出しシンボル）２５４を含む暗色モジュール２５２ｂの各領域が例えば黒色などによって不透明（又は半透明）の部分として構成されているため、第２面２１２ｂ側から情報コードＣ２を見たときに、これら暗色モジュール２５２ｂの各領域（不透明又は半透明の部分）が表裏反転図形（第１面側から見たときの図形を裏返した図形）として視認されることになる。また、明色モジュール２５２ａの各領域が透明部として構成されているため、第２面２１２ｂ側から情報コードＣ２を見たときに、これら明色モジュール２５２ａの各領域（透明部）が表裏反転図形（第１面側から見たときの図形を裏返した図形）として視認されることになる。
【００４２】
（本構成の主な効果）
本構成では、透明の部分として構成される一方のモジュール（例えば、明色モジュール２５２ａ）の各領域において第１面２１２ａ側から第２面２１２ｂ側へと光が透過可能となり、当該光の透過する第２面２１２ｂ側における位置（情報コードＣ２の表裏反転図形が形成される位置）が情報コードＣ２の裏側の位置に相当することになる。そのため、媒体２１０の利用者が、第２面２１２ｂ側を目視している場合でも、第１面２１２ａ側に表示されている情報コードＣ２の当該第１面２１２ａ側における位置を特定することが可能となる。従って、第２面２１２ｂ側を目視しつつ媒体２１０を操作した場合でも、目標とする位置に情報コードＣ２を正確に近づけることが可能となり、媒体２１０の操作性を向上させることができる。特に、第２面２１２ｂ側からでも各モジュールの具体的位置を詳細に特定できるため、第２面２１２ｂ側を見ながら位置合わせする際の精度も一層高くなる。
【００４３】
また、情報コードＣ２に照明光を照射して読み取る場合に、透明の部分として構成される一方のモジュール（例えば、明色モジュール２５２ａ）では照明光が透過することで明色の反射特性と同様の効果が生じて明色領域として検出される一方で、不透明又は半透明の部分として構成される他方のモジュール（例えば、暗色モジュール２５２ｂ）では照明光が透過しないか或いは一部しか透過せずに反射することで暗色領域として検出されることになる。そのため、明色モジュール２５２ａの領域と暗色モジュール２５２ｂの領域とを明確に区別して検出することができ、明色モジュール２５２ａ及び暗色モジュール２５２ｂの領域を抽出して情報コードＣ２を確実に認識することができる。また、透明の部分として構成される一方のモジュール（例えば、明色モジュール２５２ａ）の各領域は、情報コードを形成する際に印字する必要がなく、情報コード表示媒体上の印字領域を減らすことができる。
【００４４】
なお、上述した例では、明色モジュールを透明部として構成し、暗色モジュールを不透明部又は半透明部として構成した例を示したがこれらを逆にしてもよい。即ち、明色モジュールを不透明部又は半透明部として構成し、白色等によって表示するようにし、暗色モジュールを透明部として構成してもよい。また、上述した例では、第２面側から情報コードＣ２全体の表裏反転図形が視認できるようになっているが、第２面側から情報コードＣ２の表裏反転図形の一部のみが視認できる構成であってもよい。
【００４５】
[第３実施形態]
以下、第３実施形態について、図５等を参照して説明する。第３実施形態の情報コード読取システムは、情報コード表示媒体２１０に代えて情報コード表示媒体３１０（以下、単に媒体３１０ともいう）を用いた点が第２実施形態と異なり、読取装置２０は第１、第２実施形態と同一となっている（図１、図３等参照）。従って、以下では、情報コード表示媒体３１０について重点的に説明する。また、情報コード表示媒体３１０は、情報コードＣ３の構成以外は第２実施形態と同一であるため、以下では、第２実施形態と同一の構成については詳細な説明は省略し、情報コードＣ３の構成について重点的に説明する。
【００４６】
（情報コード表示媒体の構成）
本実施形態における情報コード表示媒体３１０の本体部３１２は、上記第２実施形態における情報コード表示媒体２１０の本体部２１２と同様の構成をなしており、情報コードＣ３が付された領域（矩形枠ＡＲ２内の領域）の少なくとも一部が部分的に透明部として構成され、透明部の周囲に隣接して不透明部が設けられており、第２面３１２ｂ側から情報コードＣ３の表裏反転図形が視認可能となっている。
【００４７】
本実施形態では、図５に示すように、情報コード形成領域Ａ３１（矩形枠ＡＲ２内の領域）において、情報コードＣ３の位置に図形又は記号（例えば、十字形状の図形）などからなる目印３１４が印刷される構成となっている。具体的には、明色モジュール及び暗色モジュールによって構成されるコード領域に重ねた構成で目印３１４が印刷されている。なお、図５の例では、主として明色モジュールの一部に目印３１４が描かれることで、十字形状の図形が把握できるようになっているが、暗色モジュールの一部に重ねる形で図形が描かれていてもよい。
【００４８】
また、図５のように目印３１４を付す場合、明色モジュール３５２ａの基本色（明色モジュール３５２ａにおける目印３１４が配されていない部分の色）の明るさとは異なる明るさの色（明色）で構成されることが望ましい。このように構成すると、目印３１４を明色モジュール３５２ａの基本色とは区別して視認することができ、読み取り時には、明色モジュール３５２ａの領域において、基本色の部分は勿論のこと、目印３１４の部分も明色モジュールの領域として認識することができる。つまり、情報コードＣ３に目印３１４と重なる領域が存在しても、予め誤り訂正を行うための情報を情報コードＣ３に含ませて誤り訂正を行うこともなく、読取装置２０によって情報コードＣ１から確実に情報を読み取ることができる。
【００４９】
また、目印３１４としては、例えば、キャラクタなどのイラストを情報コードＣ３に重ねて描くことで、情報コードＣ３にデザインを施すことができ、情報コードＣ３の意匠性を向上させることもできる。
【００５０】
なお、本実施形態の媒体３１０も、上記第２実施形態と同様の特徴を有している。即ち、媒体３１０の本体部３１２において情報コードＣ３が形成された形成部分は、明色モジュール３５２ａの各領域及び暗色モジュール３５２ｂの各領域の内、一方のモジュール（例えば、明色モジュール３５２ａ）の各領域が透明の部分として構成され、他方のモジュール（例えば、暗色モジュール３５２ｂ）の各領域が不透明又は半透明の部分として構成されている。
【００５１】
（本構成の主な効果）
本構成では、一方のモジュール（例えば、明色モジュール３５２ａ）の各領域が透明の部分として形成され、この部分に重ねた形態で図形又は記号（例えば、十字形状の図形）からなる目印３１４が付されているため、第２面３１２ｂ側から見たときに、情報コードＣ３の表裏反転図形と共に、目印３１４の表裏反転図形（又は表裏反転した記号）が視認可能となる。そして、情報コードＣ３の表裏反転図形及び目印３１４の表裏反転図形が視認される位置は、情報コードＣ３の裏側の位置に相当するため、媒体３１０の利用者は、第２面３１２ｂ側を目視している場合でも、第１面３１２ａ側に表示されている情報コードＣ３の当該第１面３１２ａ側における位置を容易に特定することが可能となる。そのため、第２面３１２ｂ側を目視しつつ媒体３１０を操作した場合でも、目標とする位置に情報コードＣ３を正確に近づけることが可能となり、媒体３１０の操作性を向上させることができる。また、裏側からでも目印３１４が視認できるため、裏側のデザイン性も高めやすくなる。
【００５２】
[第４実施形態]
以下、本発明を具現化した第４実施形態について、図６等を参照して説明する。本実施形態では、情報コード表示媒体の一部（情報コードＣ４の構成）、及び読取装置４２０の構成以外は第１実施形態と同様であるため、第１実施形態と同様の構成については、同一の符号を付し、詳細な説明は省略する。
【００５３】
（情報コード表示媒体の構成）
情報コード表示媒体４１０の本体部４１２には、少なくとも可視光領域を含む第１波長帯の光が照射されたときに暗色又は明色の一方の反射特性を示し、第１波長帯とは波長の異なる第２波長帯の光が照射されたときに暗色又は明色の他方の反射特性を示す反転領域と、第１波長帯の光が照射されたときに暗色又は明色の一方の反射特性を示し、第２波長帯の光が照射されたときに暗色又は明色の一方の反射特性を示す非反転領域とが形成されている。
【００５４】
具体的には、媒体４１０に形成される情報コードＣ４の領域のうち、暗色モジュール４５２ｂの各領域は、可視光を照射したときでも、赤外光を照射したときでも暗色として表示される非反転領域として形成されている。一方、情報コードＣ４の内、明色モジュール４５２ａの各領域は、可視光を照射したときに暗色の反射特性を示して暗色として表示され、赤外光を照射したときに明色の反射特性を示して明色として表示される反転領域として形成されている。
【００５５】
例えば、明色モジュール４５２ａの各領域は、明色の外表面を有する基体（板材やシート材）の外表面に対して、赤外線透過インクによって暗色が付された構成となっており、赤外光を照射したときには、赤外線透過インクが透過状態（透明状態）となって、図６（Ｂ）のように当該領域（明色モジュール４５２ａの領域）において基体（板材やシート材）の明色が現れ、明色として認識されるようになっている。一方、暗色モジュール４５２ｂの各領域は、明色の外表面を有する基体（板材やシート材）の外表面に対し、少なくとも一般的な暗色インク（例えば可視光を照射したときでも赤外光を照射したときでも黒色として視認される黒色インク）を付した構成となっており、図６（Ａ）のように可視光を照射したときでも、図６（Ｂ）のように赤外光を照射したときでも、暗色（黒色）として認識されるようになっている。なお、明色モジュール４５２ａ及び暗色モジュール４５２ｂが配置されたコード領域の外側に構成されるマージン領域は、明色モジュールと同様の反転領域として構成されていてもよく、可視光が照射されたときでも赤外光が照射されたときでも明色で表示される領域として構成されていてもよい。
【００５６】
このように構成されているため、可視光を照明光として照射する一般的な読取装置では、撮像の際に、図６（Ａ）のように明色モジュール４５２ａの各領域、及び暗色モジュール４５２ｂの各領域がいずれも暗色として表示され、情報コードＣ４の全てが暗色となった状態の撮像されることになる。従って、情報コードＣが抽出困難となる。一方、後述の読取装置４２０のように、赤外光（第２波長帯の照明光）を照射しつつ撮像する場合には、図６（Ｂ）のように明色モジュール４５２ａの各領域が明色に反転し、暗色モジュール４５２ｂの各領域は暗色のままで撮像することができるため、情報コードＣ４を抽出することが可能となる。
【００５７】
なお、媒体４１０の裏側（第２面側）の構成は第１実施形態の図２（Ｂ）と同様であり、媒体４１０の第２面側（第１面４１２ａの反対面側）には、第１面４１２ａに形成される情報コードＣ４の裏位置に、目印としての図形又は記号（例えば、図２の目印１４と同様の十字形状の図形）が形成されている。そして、この目印は、第２面（裏面）において第１面４１２ａ（表面）と平行な平面方向における情報コードＣ４の位置を特定するように機能する。具体的には、第１面４１２ａと平行な平面方向における情報コードＣ４の中心位置を特定し得るように目印が配置されており、例えば、目印は、十字形状の図形が交差する交差位置が情報コードＣ４の中心位置の真裏の位置となっている。また、図６のような構成において、マージン領域などが透明部として構成されていてもよい。また、図６のような構成において、明色モジュールの基体部分（赤外線透過インクを付す部分）を透明に構成してもよい。
【００５８】
（情報コード読取装置の構成）
次に、情報コードＣ４を読み取る情報コード読取装置の全体構成について図７等を参照して説明する。本実施形態で用いられる情報コード読取装置４２０（以下、読取装置４２０ともいう）は、照明光源４２１，４２２の構成、及び制御回路４４０の構成以外は第１実施形態の読取装置２０と同様であるため、第１実施形態と同様の構成については図示を省略し、詳細な説明は省略する。
【００５９】
図７に示す読取装置４２０では、照明光源として、第１波長帯の照明光を照射する第１照明光源４２１と、第２波長帯の照明光を照射する第２照明光源４２２とが設けられている。また、第１照明光源４２１及び第２照明光源４２２は、例えばフィルタ２５、結像レンズ２７及び受光センサ２３によって構成される撮像部（受光光学系）４２８を挟んだ両側にそれぞれ設けられている。
【００６０】
一対の第１照明光源４２１ａ，４２１ｂは、例えば波長３８０ｎｍ〜７５０ｎｍの可視光を照射するＬＥＤによって構成されている。また、対をなして配置される第２照明光源４２２ａ，４２２ｂは、波長７５０ｎｍ以上の赤外光を照射するＬＥＤによって構成されている。そして、第１照明光源４２１及び第２照明光源４２２は、ケースに形成された読取口（図示略）を介して媒体４１０に向けて照明光を照射可能に構成されている。また、撮像部４２８は、媒体４１０に対して照明光が照射された状態で当該媒体４１０を撮像するように機能する。
【００６１】
例えば、この構成では、図６のような情報コードＣ４を読み取る場合、第２照明光源４２２ａ，４２２ｂによって赤外光を照射した状態で撮像部４２８によって情報コードＣ４を撮像することで、図６（Ｂ）のように明色モジュールが明色に反転したコード画像が得られることになる。図６（Ｂ）のようなコード画像が得られた場合、制御回路４４０は、一般的なデコード方法によってコード画像を解読すればよい。なお、一般的な情報コードを読み取る場合には、第１照明光源４２１によって可視光を照射しつつ情報コードを撮像すればよい。
【００６２】
（本構成の主な効果）
本構成では、可視光が照射されている時には、明色モジュール及び暗色モジュールがいずれも同種の反射特性を示すため、情報コードが全体的に暗色領域又は明色領域として視認されることになり、情報コードの存在が把握され難くなる。つまり、可視光のみの照射状態で情報コードを読み取ろうとしても、明色モジュールと暗色モジュールとが区別できず、一般的な読取装置では情報コードの読み取りが困難となる。また、一般的なコピー装置では明暗が区別されないコピー画像が生成されるため、コピー等の偽造防止を図ることができる。
一方、第２波長帯の照明光が照射されている時には、明色モジュール及び暗色モジュールの内、いずれか一方が反転した構成となり、他方が反転しない構成となるため、明色モジュールの領域と暗色モジュールの領域とを明確に区別することができ、情報コードを認識することができるようになる。つまり、第２波長帯の照明光を照射し得る読取装置では、情報コードを良好に読み取ることが可能となり、このような読取装置の読み取りのみを許可し得るセキュリティ性の高い構成となる。但し、この構成では、第２波長帯の照明光が照射される位置に情報コードを正確に位置合わせしなければ読み取りができないため、より正確な位置合わせが求められ、情報コードが見えない状態で媒体を翳して読み取らせる場合に一層問題となる。これに対し本発明では、第２面側からでも情報コードの位置を正確に認識することができるため、媒体を裏返して読み取らせる場合であっても第２波長帯の照明光の照射位置に情報コードを正確に位置合わせすることができ、読み取りの失敗や遅延をより確実に低減することができる。
【００６３】
[第５実施形態]
以下、本発明を具現化した第５実施形態について説明する。
第５実施形態で例示する情報コード読取システムは、情報コード表示媒体１０とは異なる情報コード表示媒体（図示略）を用いた点が第１実施形態と異なり、読取装置２０は第１実施形態と同一となっている（図１、図３等参照）。従って、以下では、情報コード表示媒体について重点的に説明する。また、本実施形態の情報コード表示媒体は、情報コード形成領域以外は上記第１実施形態における情報コード表示媒体１０（図３参照）と同様の構成をなしている。
【００６４】
（情報コード表示媒体の構成）
本構成の情報コード表示媒体は、例えば暗色モジュールの構成のみが第１実施形態の情報コード表示媒体１０と異なっている。本構成の情報コード表示媒体で用いられる情報コードは、一方のモジュール（例えば、暗色モジュール）の各領域に対して貫通孔又は凹部若しくは凸部を形成する加工が施されており、第２面側から一方のモジュール（例えば、暗色モジュール）の各領域に対して施された加工部分が視認可能に構成されている。なお、他方のモジュール（明色モジュール）の構成は、第１実施形態の情報コード表示媒体１０と同様とすることができ、例えば、明色（白色）の印刷が施された領域として構成すればよい。
【００６５】
一方のモジュール（例えば、暗色モジュール）の各領域における凹部又は凸部は、例えば、対象物に直接刻印を施す公知のダイレクトマーキングによって形成することができる。即ち、本体部の第１面側から各暗色モジュールの領域を押圧するように刻印を施すことで、第１面側における暗色モジュールの各領域には凹部が形成され、一方で第２面側の暗色モジュールの各領域では凸部が形成されることになる。この場合、凹部として構成される各暗色モジュールの領域は特に色を付さなくても良く（即ち、明色モジュールの同様の色であってもよく）、各暗色モジュールの領域に黒色等の暗色が付されていてもよい。
【００６６】
或いは、本体部の第２面側から各暗色モジュールの領域を押圧するように刻印を施すことで、第２面側における暗色モジュールの各領域に凹部を形成し、１面側の暗色モジュールの各領域を凸部として構成してもよい。この場合も、凸部として構成される各暗色モジュールの領域は特に色を付さなくても良く（即ち、明色モジュールの同様の色であってもよく）、各暗色モジュールの領域に黒色等の暗色が付されていてもよい。
【００６７】
或いは、本体部における各暗色モジュールの領域を打ち抜くように孔を形成することで、各暗色モジュールの各領域に貫通孔を形成するようにしてもよい。
【００６８】
また、上述した各例では、一方のモジュールを「暗色モジュール」とし、この暗色モジュールの各領域に対して貫通孔又は凹部若しくは凸部を形成する加工が施す例を示したが、一方のモジュールを「明色モジュール」とし、この明色モジュールの各領域に対して貫通孔又は凹部若しくは凸部を形成する加工を施すようにしてもよい。この場合、他方のモジュール（暗色モジュール）の構成は、第１実施形態の情報コード表示媒体１０と同様とすることができ、例えば、暗色（黒色）の印刷が施された領域として構成すればよい。
【００６９】
（本構成の主な効果）
本構成では、媒体の使用者が裏側（第２面側）を見たとき、表面側（第１面側）の情報コードの一部分が加工部分として見えるため、第１面側の情報コードの真裏の位置がどのあたりかを即座に特定することが可能となる。従って、例えば、情報コード表示媒体を裏返し、情報コードが見えない状態で情報コードを読み取り装置に読み取らせる場合であっても、第２面側から情報コードの位置を認識しながら情報コードを適正な読み取り位置に翳すことが可能となる。これにより、翳す位置が不適正であることに起因する読み取りの失敗や読み取りの遅延を防ぐことができ、読み取り操作を行う上での操作性を効果的に向上することができる。更に、この発明では、一方のモジュールの各領域が貫通孔又は凹部若しくは凸部として形成されるため、使用者は媒体を触った感触で情報コードがどの位置にあるかを特定することが可能となる。従って、例えば媒体をあまり見ずに手触りによって情報コードの位置を把握しつつその情報コードを読み取り位置に翳して読み取らせるといった対応もとりやすくなる。
【００７０】
［他の実施形態]
本発明は上記記述及び図面によって説明した実施形態に限定されるものではなく、例えば次のような実施形態も本発明の技術的範囲に含まれる。
【００７１】
上記第１〜第５実施形態では、情報コード表示媒体において情報コードは、本体部の第１面上に描かれていたが、第１面側に正規の形で表示される構成（第１面側から見たときに正規の形で視認できる構成）であれば、情報コードの形成位置は、第１面上でなくてもよく、第１面よりも第２面側に奥まった位置であってもよい。例えば本体部の厚さ方向内部に情報コードが描かれた構成であってもよく、第２面側に描かれた構成であってもよい。
【００７２】
上記第１〜第５実施形態又はこれらの変更例のいずれの場合も、情報コードとしては、図１等のようなＱＲコード（登録商標）に限らず、データマトリックスコードやマキシコード等の他の二次元コードであってもよく、一次元バーコード等の公知の一次元コードであってもよい。
【００７３】
上記実施形態では、明色として白色を例示し、暗色として黒色を例示したが、明色の方が暗色よりも明度が大きければ良く、明色と暗色の組み合わせは白色と黒色に限定されない。
【符号の説明】
【００７４】
１…情報コード読取システム
１０，２１０，３１０，４１０…情報コード表示媒体
１２，２１２，３１２，４１２…本体部
１２ａ，２１２ａ，３１２ａ，４１２ａ…第１面
１２ｂ，２１２ｂ，３１２ｂ…第２面
１４，３１４…目印
Ｃ１，Ｃ２，Ｃ３，Ｃ４…情報コード
【図１】
2014203273.tif 000003
【図２】
2014203273.tif 000004
【図３】
2014203273.tif 000005
【図４】
2014203273.tif 000006
【図５】
2014203273.tif 000007
【図６】
2014203273.tif 000008
【図７】
2014203273.tif 000009